【手続補正書】
【提出日】平成25年8月21日(2013.8.21)
【手続補正１】
【補正対象書類名】特許請求の範囲
【補正対象項目名】請求項３
【補正方法】変更
【補正の内容】
【請求項３】
前記付帯情報は、前記ページ画像内の各コマの領域を示すコマ領域情報を含み、
前記移動順序決定手段は、前記ページ画像内の各コマの表示サイズが前記表示手段の画面サイズよりも大きい場合には、前記各コマ内で前記表示範囲を順次移動させる移動順序を決定する請求項１または２に記載のビューワ装置。
【手続補正２】
【補正対象書類名】特許請求の範囲
【補正対象項目名】請求項６
【補正方法】変更
【補正の内容】
【請求項６】
前記付帯情報は、前記テキスト領域、前記吹出し領域及び前記関心領域のうちでいずれが前記重要領域であるかを示す重要領域指定情報を含み、前記移動順序決定手段は、前記付帯情報内の前記重要領域指定情報に基づいて前記表示範囲の移動順序を決定する請求項１から４のいずれか１項に記載のビューワ装置。
【手続補正３】
【補正対象書類名】特許請求の範囲
【補正対象項目名】請求項７
【補正方法】変更
【補正の内容】
【請求項７】
前記テキスト領域、前記吹出し領域及び前記関心領域のうちでいずれを前記重要領域とするかを示す詳細モードの設定入力を受け付ける詳細モード設定入力手段を備え、前記移動順序決定手段は、前記詳細モード設定入力手段によって設定入力された前記詳細モードに基づいて前記表示範囲の移動順序を決定する請求項１から４のいずれか１項に記載のビューワ装置。
【手続補正４】
【補正対象書類名】特許請求の範囲
【補正対象項目名】請求項１４
【補正方法】変更
【補正の内容】
【請求項１４】
コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを、所定の画面サイズを持つ表示手段を備えたビューワ装置に送信するサーバ装置であって、
前記電子コミックデータを取得するデータ取得手段と、
前記電子コミックデータの前記ページ画像内で前記表示手段の前記画面サイズに対応した表示範囲を順次移動させる移動順序を決定する移動順序決定手段であって、前記電子コミックデータの前記付帯情報に基づいて、前記重要領域を含む前記表示範囲を前記表示手段に順次表示させる移動順序を決定する移動順序決定手段と、
前記移動順序決定手段によって決定された前記移動順序を示す移動順序情報を前記電子コミックデータの前記付帯情報に書き込む情報編集を行う情報編集手段と、
を備えたサーバ装置。
【手続補正５】
【補正対象書類名】特許請求の範囲
【補正対象項目名】請求項１６
【補正方法】変更
【補正の内容】
【請求項１６】
前記付帯情報は、前記ページ画像内の各コマの領域を示すコマ領域情報を含み、
前記移動順序決定手段は、前記ページ画像内の各コマの表示サイズが前記画面サイズよりも大きい場合には、前記各コマ内で前記表示範囲を順次移動させる移動順序を決定する請求項１４又は１５に記載のサーバ装置。
【手続補正６】
【補正対象書類名】特許請求の範囲
【補正対象項目名】請求項１９
【補正方法】変更
【補正の内容】
【請求項１９】
請求項１７に記載のサーバ装置から前記電子コミックデータを受信する受信手段と、
前記所定の画面サイズを持つ表示手段と、
前記受信手段によって受信した前記電子コミックデータの前記付帯情報内の前記移動順序情報に従って、前記ページ画像から前記表示範囲毎の画像を順次抽出して前記表示手段に表示させる表示制御手段と、
前記全域表示モードと前記重要領域表示モードとの切替指示の入力を受け付けるモード切替指示入力手段と、を備え、
前記表示制御手段は、前記全域表示モードの場合には前記ページ画像の全域を前記表示手段に順次表示し、前記重要領域表示モードの場合には前記電子コミックデータの前記付帯情報に基づいて前記重要領域を含む前記表示範囲を前記表示手段に順次表示させるビューワ装置。
【手続補正７】
【補正対象書類名】特許請求の範囲
【補正対象項目名】請求項２０
【補正方法】変更
【補正の内容】
【請求項２０】
所定の画面サイズを持つ表示手段に電子コミックを表示させる表示制御方法であって、
コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを取得するデータ取得工程と、
前記電子コミックデータの前記ページ画像内で前記表示手段の前記画面サイズに対応した表示範囲を順次移動させる移動順序を決定する移動順序決定工程であって、前記電子コミックデータの前記付帯情報に基づいて、前記重要領域を含む前記表示範囲を前記表示手段に順次表示させる移動順序を決定する移動順序決定工程と、
前記移動順序決定工程によって決定された前記移動順序に従って、前記ページ画像から前記表示範囲毎の画像を順次抽出して前記表示手段に表示させる表示工程と、
を含む表示制御方法。
【手続補正８】
【補正対象書類名】特許請求の範囲
【補正対象項目名】請求項２１
【補正方法】変更
【補正の内容】
【請求項２１】
コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを編集する電子コミック編集方法であって、
前記電子コミックデータを取得するデータ取得工程と、
前記電子コミックデータの前記ページ画像内で所定の表示手段の画面サイズに対応した表示範囲を順次移動させる移動順序を決定する移動順序決定工程であって、前記電子コミックデータの前記付帯情報に基づいて、前記重要領域を含む前記表示範囲を前記表示手段に順次表示させる移動順序を決定する移動順序決定工程と、
前記移動順序決定工程によって決定された前記移動順序を示す移動順序情報を前記電子コミックデータの前記付帯情報に書き込む情報編集を行う情報編集工程と、
を含む電子コミック編集方法。
【手続補正９】
【補正対象書類名】明細書
【補正対象項目名】００１２
【補正方法】変更
【補正の内容】
【００１２】
一実施形態では、前記付帯情報は、前記ページ画像内の各コマの領域を示すコマ領域情報を含み、前記移動順序決定手段は、前記ページ画像内の各コマの表示サイズが前記表示手段の画面サイズよりも大きい場合には、前記各コマ内で前記表示範囲を順次移動させる移動順序を決定する。
【手続補正１０】
【補正対象書類名】明細書
【補正対象項目名】００１５
【補正方法】変更
【補正の内容】
【００１５】
一実施形態では、前記付帯情報は、前記テキスト領域、前記吹出し領域及び前記関心領域のうちでいずれが前記重要領域であるかを示す重要領域指定情報を含み、前記移動順序決定手段は、前記付帯情報内の前記重要領域指定情報に基づいて前記表示範囲の移動順序を決定する。
【手続補正１１】
【補正対象書類名】明細書
【補正対象項目名】００１６
【補正方法】変更
【補正の内容】
【００１６】
一実施形態では、前記テキスト領域、前記吹出し領域及び前記関心領域のうちでいずれを前記重要領域とするかを示す詳細モードの設定入力を受け付ける詳細モード設定入力手段を備え、前記移動順序決定手段は、前記詳細モード設定入力手段によって設定入力された前記詳細モードに基づいて前記表示範囲の移動順序を決定する。
【手続補正１２】
【補正対象書類名】明細書
【補正対象項目名】００１９
【補正方法】変更
【補正の内容】
【００１９】
一実施形態では、前記テキスト領域情報は、前記テキスト領域の多角形の外周縁の各頂点を示す座標データ、前記テキスト領域の外周縁を示すベクトルデータ、又は前記テキスト領域を示すマスクデータである。
【手続補正１３】
【補正対象書類名】明細書
【補正対象項目名】００２３
【補正方法】変更
【補正の内容】
【００２３】
また、本発明は、コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを、所定の画面サイズを持つ表示手段を備えたビューワ装置に送信するサーバ装置であって、前記電子コミックデータを取得するデータ取得手段と、前記電子コミックデータの前記ページ画像内で前記表示手段の前記画面サイズに対応した表示範囲を順次移動させる移動順序を決定する移動順序決定手段であって、前記電子コミックデータの前記付帯情報に基づいて、前記重要領域を含む前記表示範囲を前記表示手段に順次表示させる移動順序を決定する移動順序決定手段と、前記移動順序決定手段によって決定された前記移動順序を示す移動順序情報を前記電子コミックデータの前記付帯情報に書き込む情報編集を行う情報編集手段と、を備えたサーバ装置を提供する。
【手続補正１４】
【補正対象書類名】明細書
【補正対象項目名】００２５
【補正方法】変更
【補正の内容】
【００２５】
一実施形態では、前記付帯情報は、前記ページ画像内の各コマの領域を示すコマ領域情報を含み、前記移動順序決定手段は、前記ページ画像内の各コマの表示サイズが前記画面サイズよりも大きい場合には、前記各コマ内で前記表示範囲を順次移動させる移動順序を決定する。
【手続補正１５】
【補正対象書類名】明細書
【補正対象項目名】００２９
【補正方法】変更
【補正の内容】
【００２９】
また、本発明は、所定の画面サイズを持つ表示手段に電子コミックを表示させる表示制御方法であって、コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを取得するデータ取得工程と、前記電子コミックデータの前記ページ画像内で前記表示手段の前記画面サイズに対応した表示範囲を順次移動させる移動順序を決定する移動順序決定工程であって、前記電子コミックデータの前記付帯情報に基づいて、前記重要領域を含む前記表示範囲を前記表示手段に順次表示させる移動順序を決定する移動順序決定工程と、前記移動順序決定工程によって決定された前記移動順序に従って、前記ページ画像から前記表示範囲毎の画像を順次抽出して前記表示手段に表示させる表示工程と、を含む表示制御方法を提供する。
【手続補正１６】
【補正対象書類名】明細書
【補正対象項目名】００３０
【補正方法】変更
【補正の内容】
【００３０】
また、本発明は、コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを編集する電子コミック編集方法であって、前記電子コミックデータを取得するデータ取得工程と、前記電子コミックデータの前記ページ画像内で所定の表示手段の画面サイズに対応した表示範囲を順次移動させる移動順序を決定する移動順序決定工程であって、前記電子コミックデータの前記付帯情報に基づいて、前記重要領域を含む前記表示範囲を前記表示手段に順次表示させる移動順序を決定する移動順序決定工程と、前記移動順序決定工程によって決定された前記移動順序を示す移動順序情報を前記電子コミックデータの前記付帯情報に書き込む情報編集を行う情報編集工程と、を含む電子コミック編集方法を提供する。
【手続補正１７】
【補正対象書類名】明細書
【補正対象項目名】０１１１
【補正方法】変更
【補正の内容】
【０１１１】
情報編集部３４は、移動順序決定部４２によって決定された移動順序を示す移動順序情報を電子コミックデータの情報ファイル（付帯情報）に書き込む。情報編集部３４によって移動順序情報が追加された情報ファイルを含む電子コミックデータは、入出力部３７によって電子書籍ビューワ装置４に送信される。
【手続補正１８】
【補正対象書類名】図面
【補正対象項目名】図４
【補正方法】変更
【補正の内容】
【図４】
2013088777.tif 000001